(57)【要約】【課題】  大容量のヒートパイプ式熱交換器１を組み込むことが容易であるとともに、当該熱交換器１による熱交換特性を十分に発揮でき、さらには熱交換器１と仕切板２との間を簡単かつ確実に塞ぐことのできる密閉構造体用熱交換装置を提供する。【解決手段】  発明の密閉構造体用熱交換装置は、パイプ１ａの表面にフィン１ｂを有するヒートパイプ式熱交換器１が密閉空間の上部壁Ａａを内外に貫通して取り付けられ、熱交換器１と上部壁Ａａとの間が仕切板２によって塞がれ、熱交換器１の外部および内部の各部分にそれぞれ外気と密閉空間内の空気（内気）とを送るファン４・６を備える。そして、上記熱交換器１が、屈曲部１ｘを有することにより上記内外各部分に水平または傾斜した部分を有すること、および、熱交換器１が、屈曲部１ｘを含めてパイプ１ａの表面にフィン１ｂを有することを特徴とする。【選択図】  図１
2015215138.tif 000002
【特許請求の範囲】
【請求項１】
パイプ表面にフィンを有するヒートパイプ式熱交換器が密閉空間の上部壁を内外に貫通して取り付けられ、上記熱交換器と上記上部壁との間が仕切板によって塞がれ、上記熱交換器の上記内外各部分にそれぞれ密閉空間内の空気と外気とを送るファンを備える密閉構造体用熱交換装置であって、
上記熱交換器が、屈曲部を有することにより上記内外各部分に水平または傾斜した部分を有すること、
および、上記熱交換器が、上記屈曲部を含めてパイプ表面にフィンを有すること
を特徴とする密閉構造体用熱交換装置。
【請求項２】
上記熱交換器が、上記仕切板によって塞がれた部分の表面にもフィンを有することを特徴とする請求項１に記載の密閉構造体用熱交換装置。
【請求項３】
パッキンもしくは充填式シール材またはそれらの両方が上記フィンに接するよう使用されることにより、上記熱交換器が上記仕切板によって塞がれていることを特徴とする請求項２に記載の密閉構造体用熱交換装置。
【請求項４】
上記屈曲部を含む一連の面に沿う１列に上記熱交換器を複数段併置されてなる熱交換器結合体が、当該面を重ね合わせた状態で複数列配置されているとともに、
各列の熱交換器結合体は、他の列の熱交換器結合体に対しフィンを連結されることなく配置されている
ことを特徴とする請求項１〜３のいずれかに記載の密閉構造体用熱交換装置。
【請求項５】
上記仕切板によって塞がれた部分においてのみ、隣接する列の熱交換器結合体同士の間でフィンが一体に連続していることを特徴とする請求項４に記載の密閉構造体用熱交換装置。
【請求項６】
上記屈曲部を含む一連の面に沿う１列に上記熱交換器を複数段併置されてなる熱交換器結合体が、当該面を重ね合わせた状態で複数列配置されているとともに、
各列の熱交換器結合体は、上記の各ファンによる空気流がそれぞれの流路の全域において同数の列の熱交換器結合体を通過するように、長さを設定されて重ね合わされている
ことを特徴とする請求項１〜５のいずれかに記載の密閉構造体用熱交換装置。
【発明の詳細な説明】
【技術分野】
【０００１】
本発明は、サーバーラック等を収容するデータセンタなどの密閉構造体のための熱交換装置に関するものである。
【背景技術】
【０００２】
一般に、データセンタでは、複数のラックに収納された多くのサーバが、多量のエネルギーを消費している。データ処理量の増大に伴い、近年のデータセンタ等の消費電力は増加の一途をたどっている。こうした電力消費によって室温が上昇するため、室内の空調を行う必要がある。
【０００３】
上記の空調に関し、サーバーラック内に外気を直接取り込む方式では、外気の塵埃除去対策が必要であるうえ、取り込まれる空気中に水分が含まれることから湿度管理も必要となり、塵埃除去と加湿・除湿のためにシステムが複雑化する。従来、制御盤等の密閉冷却にはヒートパイプ式熱交換器が使用されており、この熱交換器を用いた外気による間接冷却方式（密閉冷却方式）を採用することで上記の問題を解決できる。すなわち、サーバーラック等を密閉構造体の内部に収容し、ヒートパイプ式熱交換器をその密閉空間の上部壁を内外に貫通させて取り付け、上記熱交換器と上記上部壁との間を仕切板によって塞ぐ方式である。熱交換器のパイプ表面にフィンを取り付けるとともに、熱交換器の上記内外各部分にファンを設ける。それぞれのファンにより構造体内の空気（内気）と外気とを上記熱交換器の内外各部分に送ると、ヒートパイプの熱移動作用により内気の熱量が運ばれて外気中に放出されるため、内気温度を下げることができる。
【０００４】
上記した密閉冷却方式によって大容量の熱処理を行うには、当然ながら熱交換部を大きくする必要がある。図４は、ヒートパイプ式熱交換器のパイプを長くすることによって大容量化を図る例であり、図５は、パイプの本数を列方向（空気流の方向）に多くして同様の効果を得ようとする例である。なお、図４・図５において符号１はヒートパイプ式熱交換器であり、パイプ１ａの表面に多数枚のフィン１ｂを有している。ヒートパイプ式熱交換器１が密閉構造体Ａの上部壁Ａａを内外に貫通するように取り付けられ、上記熱交換器１と上記上部壁Ａａとの間が仕切板２によって塞がれている。構造体Ａの外側と内側とにファン４・６があり、それぞれが外気と内気を熱交換器１の外部および内部の各部分に送風する。いずれの例でも、空気流と直角（図の紙面と直角）の方向のいわゆる段方向にも複数本のパイプ１ａが併設されている。
【０００５】
しかし、図４の例では、容量によってはヒートパイプ式熱交換器１の長さ（高さ）が過大になり、天井の位置等との関係で高さ寸法に限界のある密閉構造体Ａへの取り付けが困難になることがある。また、熱交換器１の全域に均等に空気を流すために、多数または大型のファン４・６を設ける必要も生じる。
図５の例では、フィン１ｂ付きのヒートパイプ１ａが列方向に数多く存在することになるので、圧力損失が増大し、高静圧（高出力）のファン４・６を設ける必要が生じる。それは、ヒートパイプ（１ａ）の本数が多くなることと併せて、熱交換装置のコストアップにつながる。
【０００６】
図６は、特許文献１に記載されたヒートパイプ式熱交換器１に関するもので、中央付近に屈曲部（湾曲部）１ｘを設けた例を示している。熱交換器１の上部と下部とを密閉構造体の内外各部分に配置し、図示の屈曲部１ｘに仕切板（隔壁）２を取り付けて密閉構造体の内外間を塞ぐ。なお、図６において符号１ａは熱交換器１のパイプ、同１ｂはフィンである。
この図の例にならってヒートパイプ式熱交換器に屈曲部を形成するなら、その熱交換器を長くして熱処理容量を大きくしながらも、高さ寸法の限られた密閉構造体への取付け可能性を広げることができる。
【先行技術文献】
【特許文献】
【０００７】
【特許文献１】実開昭６３−１４２６６９号公報
【発明の概要】
【発明が解決しようとする課題】
【０００８】
図６に示すヒートパイプ式熱交換器（特許文献１に記載のもの）は、パイプの屈曲部であって仕切板により塞がれる部分に、フィンを有していない。それに関連して、図６の熱交換器には下記のような課題が存在する。
・  フィンを有しない部分では熱交換の機能が発揮されがたいため、ヒートパイプ式熱交換器の特性が十分に有効活用されない。
・  フィンを有しない部分（パイプ屈曲部１ｘなど）において、ヒートパイプ式熱交換器と仕切板との間の隙間をなくすことが容易でない。熱交換器のパイプと仕切板との間はロウ付けや溶接によって接合するか、またはシールを施す必要がある。また、仕切板は、フィンを含めて熱交換器の下半部（または上半部）を取り入れられるよう密閉構造体に設けられた開口を覆う役割を兼ねるため、仕切板をパイプの屈曲部１ｘに取り付ける作業は容易ではない。熱交換器を複数列配置する場合には、その作業はとくに困難となる。作業の困難さは、熱交換装置のコストアップや信頼性の低下につながる可能性もある。
【０００９】
本発明は以上の点を考慮したものであり、大容量のヒートパイプ式熱交換器を組み込むことが容易であるとともに、当該熱交換器による熱交換特性を十分に発揮でき、さらには熱交換器と仕切板との間を簡単かつ確実に塞ぐことのできる密閉構造体用熱交換装置を提供するものである。
【課題を解決するための手段】
【００１０】
本発明は、パイプ表面にフィンを有するヒートパイプ式熱交換器が密閉空間の上部壁を内外に貫通して（つまり密閉構造体の内側と外側とにわたって）取り付けられ、上記熱交換器と上記上部壁との間が仕切板によって塞がれ、上記熱交換器の上記内外各部分にそれぞれ密閉空間内の空気（内気）と外気とを送るファンを備える密閉構造体用熱交換装置であって、
・  上記熱交換器が、屈曲部（湾曲部）を有することにより上記内外各部分に水平または傾斜した部分を有すること、および、
・  上記熱交換器が、上記屈曲部を含めてパイプ表面にフィンを有すること
を特徴とする。図１〜図３の装置は、そのような発明を例示するものである。
【００１１】
上記した密閉構造体用熱交換装置は、ヒートパイプ式熱交換器を使用する間接冷却方式（密閉冷却方式）の装置であるため、外気の塵埃除去対策や湿度管理を行わなくとも、電子制御盤やサーバーラック等を含む密閉構造体の熱交換を適切に行うことができる。
また、ヒートパイプ式熱交換器が屈曲部を有していて密閉構造体の内外各部分に水平または傾斜した部分を有するため、図６（特許文献１）の例と同様に、長尺化して熱処理容量を大きくしたヒートパイプ式熱交換器をもコンパクトに構成することを可能にし、高さ寸法の限られた密閉構造体への取付け可能性を広げることができる。
しかも、そのヒートパイプ式熱交換器が、図６の例などとは異なり、上記屈曲部を含めてパイプ表面にフィンを有するため、その屈曲部においても十分な熱交換が行われ、その結果として発明の装置には高い熱交換特性がもたらされる。
【００１２】
発明による密閉構造体用熱交換装置においては、上記熱交換器が、上記仕切板によって塞がれた部分の表面にもフィンを有するととくに好ましい。上記熱交換器のうち仕切板によって塞がれる部分が、図３の例のように直線状であって屈曲部ではないことがあり得るが、そのような場合、屈曲部だけでなく、仕切板によって塞がれる部分にもフィンを設けるとよい。
ヒートパイプ式熱交換器が、そのように仕切板によって塞がれた部分の表面にもフィンを有すると、図６の例のように当該部分にフィンがない場合よりも、熱交換器と仕切板との間の隙間をなくす作業を容易に、かつ確実に行うことができる。フィンは、各パイプの表面に密に嵌め付けられて取り付けられているため、仕切板で塞がれる部分にもフィンがある場合には、そのフィンを利用して仕切板との隙間を塞ぐ（たとえば下記のようにする）ことが可能になるからである。
【００１３】
上記の場合、パッキンもしくは充填式シール材またはそれらの両方が上記フィンに接するよう使用されることにより、上記熱交換器が上記仕切板によって塞がれているとよい。たとえば、図１（ｂ）のようにパッキンや充填式シール材を使用して熱交換器と仕切板との間を塞ぐのである。
フィンは、パイプのそれぞれに対して熱移動の効率を高めるために密に嵌め付けられるものであるため、本来、フィンと各パイプとの間には実質上隙間がない。したがって、上記のようにパッキンや充填式シール材（またはその両方）によってフィンと仕切板（または隣接のフィン）との間が塞がれると、それだけで上記熱交換器と仕切板との間の隙間をなくすことができ、上記構造体を密閉する作業をきわめて容易に行うことができる。その結果、密閉構造体の内外間の空気の漏出防止に関する信頼性が向上することにもなる。
【００１４】
発明の装置は、上記屈曲部を含む一連の面に沿う１列に上記熱交換器を複数段併置されてなる熱交換器結合体が、当該面を重ね合わせた状態で複数列配置されているとともに、各列の熱交換器結合体が、他の列の熱交換器結合体に対しフィンを連結されることなく配置されている構成を有すると好ましい。図１等には熱交換器結合体が３列配置された例を示しているが、熱交換器結合体のフィンは列ごとに独立であって、隣接の列の間でフィンが連結されてはいない。
そのように他の列の熱交換器結合体に対してフィンが連結されていない場合は、他の列との間でフィンが連結されている場合に比べて、複数列の熱交換器結合体に上記した屈曲部を形成することが明らかに容易である。また、他の列との間でフィンが連結されていない場合、フィンの各部の伝熱面温度が列方向（風の流れ方向）に均一化しないこと等から、一般に装置の熱交換効率が向上し、内気温度を効果的に下げることができる。
【００１５】
上記の場合、上記仕切板によって塞がれた部分に限っては、隣接する列の熱交換器結合体同士の間でフィンが一体に連続しているのもよい。たとえば図２または図３のように、仕切板によって塞がれる部分にある一部のフィンのみを、他の列に及ぶ一体のものにすると好ましい。
そのような場合、上記のようにフィンを利用して仕切板との隙間を塞ぐことが一層容易になる。たとえば図２（ｂ）のように、隣接する列の熱交換器結合体との間を、パッキン等によって塞ぐ必要がなくなるからである。
【００１６】
発明の装置はまた、上記屈曲部を含む一連の面に沿う１列に上記熱交換器を複数段併置されてなる熱交換器結合体が、当該面を重ね合わせた状態で複数列配置されているとともに、各列の熱交換器結合体が、上記の各ファンによる空気流がそれぞれの流路の全域において同数の列の熱交換器結合体を横切るように、長さを設定されて重ね合わされている、といったものであるのも好ましい。つまり、図１〜図３の例のように各列の熱交換器結合体の端部が、長さ方向と直角な（すなわち空気流の方向の）一平面のうちに概ね揃って並ぶようにする。このように端部が揃うように、各列の熱交換器結合体の長さを屈曲加工前に設定しておくわけである。
上記の各ファンによって密閉構造体の内部および外部に発生する空気流は、各列の熱交換器結合体を横切る。その場合、内外各部において圧力損失の大きい部分と小さい部分とが存在すると、空気流は、圧力損失が小さく流れやすい部分に偏ってしまい、熱交換効率が十分には上がらない可能性が生じる。しかし、上記した構成によって各ファンによる空気流が各流路の全域において同数の列の熱交換器結合体を横切るようにすると、全域において空気抵抗が均一になり、空気流が特定の部位には偏らない。そのため、上記構成により、装置の熱交換効率が十分に向上する。
【発明の効果】
【００１７】
発明の密閉構造体用熱交換装置によれば、長尺のヒートパイプ式熱交換器を屈曲させてコンパクトに構成することにより、熱交換量を増大させるとともに高さの限られた密閉構造体への取付けをも可能にすることができる。また、ヒートパイプ式熱交換器の広い範囲においてパイプ表面にフィンを設けることから、熱交換効率を向上させることができる。
熱交換器と仕切板との間を塞ぐ作業を簡単かつ確実にすることも可能である。
また、ファンによる空気流を均一に形成することにより、装置の熱交換効率を一層高めることが可能である。
【図面の簡単な説明】
【００１８】
【図１】発明の実施例として密閉構造体用熱交換装置を示す図面であり、図１（ａ）は側方から見た断面図、同（ｂ）は同（ａ）におけるｂ−ｂ断面図である。
【図２】発明の実施例として他の密閉構造体用熱交換装置を示す図面であり、図２（ａ）は側方から見た断面図、同（ｂ）は同（ａ）におけるｂ−ｂ断面図である。
【図３】発明の実施例としてさらに他の密閉構造体用熱交換装置を示す図面（側方から見た断面図）である。
【図４】ヒートパイプ式熱交換器１を長くすることによって大容量化した密閉構造体用熱交換装置を示す側方から見た断面図である。
【図５】ヒートパイプ式熱交換器１の列方向の数を多くして大容量化を図った密閉構造体用熱交換装置の側方から見た断面図である。
【図６】特許文献１に記載されたヒートパイプ式熱交換器１を示す斜視図である。
【発明を実施するための形態】
【００１９】
図１（ａ）・（ｂ）に、発明の第一実施例としての密閉構造体用熱交換装置を示す。この装置は、電子制御盤やサーバーラック（図示省略）を収容した密閉構造体Ａの内部を、密閉状態に保ったまま、ヒートパイプ式熱交換器１を利用して外気などにより間接冷却するものである。
【００２０】
ヒートパイプ式熱交換器１は、パイプ（ヒートパイプ）１ａの表面に多数のフィン１ｂを取り付けたものである。パイプ１ａ内には真空状態で所定量の作動液が封入されており、当該作動液が、高温部分において蒸発し低温部分へ移動したうえ凝縮する、という公知の機能により熱交換を行う。フィン１ｂがパイプ１ａの表面に多数取り付けられていることから、高温部分での吸熱と低温部分での放熱が効率的に行われる。そのような熱交換器１を、密閉構造体Ａの上部壁Ａａを内外に貫通する状態に取り付けている。なお、熱交換器１は、図の紙面と直角の方向に複数段のパイプ１ａを１列に配置する（そしてその１列上のパイプ１ａに、段方向に連続する共通のフィン１ｂを取り付ける）ことにより熱交換器結合体１０ａ・１０ｂ・１０ｃのぞれぞれ（各列）を形成している。図１の例では、３列の熱交換器結合体１０ａ・１０ｂ・１０ｃを重ね合わせるように配置している。
【００２１】
密閉構造体Ａ内に外気が入ること等を防止するために、熱交換器１と上部壁Ａａとの間を仕切板２によって塞いでいる。
また、熱交換器１の上半部（低温部分）と下半部（高温部分）とにそれぞれ外気と内気とを吹き付けるためファン４・６を配置し、それぞれによる風の流れを定めるよう、上部（外気用）および下部（内気用）にケーシング５・７を設けている。ファン４・６で送られる外気および内気は、上記３列の熱交換器結合体１０ａ・１０ｂ・１０ｃを通過するが、両者の流れの向きは熱交換効率を高める対向流（熱交換器結合体１０ａ・１０ｂ・１０ｃを通過する順序が、図示矢印のように対向する向き）にしている。
【００２２】
図１に示すヒートパイプ式熱交換器１については、長さの中央部付近に屈曲部１ｘを設け、それより上部と下部とに傾斜部分を設けている。そのため、熱交換器１をもとに構成した熱交換器結合体１０ａ・１０ｂ・１０ｃにも、屈曲部と傾斜部分とが含まれている。これは、熱交換器１（したがって各熱交換器結合体）を真っ直ぐなまま鉛直に取り付けると、容量を拡大するために熱交換器１を長くした場合に、密閉構造体Ａの内部に組み込めない恐れがあるからである。その点、図示のように熱交換器１を屈曲または湾曲させて傾斜部分や水平部分を設けると、長い熱交換器１であってもコンパクトな熱交換装置にすることができ、密閉構造体Ａに対して組み込みやすい。
【００２３】
図１の装置におけるヒートパイプ式熱交換器１は、上記の屈曲部１ｘを含む全長域においてパイプ１ａの表面にフィン１ｂを取り付けている。３列ある熱交換器結合体１０ａ・１０ｂ・１０ｃのいずれにおいても、同様にしている。
そうしたことにより、熱交換器１中の屈曲部１ｘにおいても十分な熱交換が行われるため、各熱交換器１ならびに各熱交換器結合体が高い熱交換特性を発揮できる。
なお、熱交換器１のパイプ１ａに対するフィン１ｂの取り付けと熱交換器１（熱交換器結合体）の屈曲加工は、たとえば、1)パイプ１ａ用の孔が空いた多数枚のフィン１ｂを、複数のパイプ１ａに通して積み重ねる、2)パイプ１ａを内圧等により拡径して、パイプ１ａの表面にフィン１ｂを密着させる、3)３列の熱交換器結合体を重ね合わせ、各列の間に可撓性プレート（図示省略）をはさむとともに内側の結合体１０ａの中央部付近に円筒体を当てて３列の熱交換器結合体を同時に曲げる、といった手順で実施できる。その後、パイプ１ａ内を真空にしてパイプ１ａ内に作動液を封入すれば、ヒートパイプ式熱交換器１（熱交換器結合体）が完成する。
【００２４】
上記のようにして熱交換器結合体１０ａ・１０ｂ・１０ｃを屈曲加工するうえで、各列の熱交換器結合体のフィン１ｂは、他の列のフィン１ｂとは独立であって連結されていないことが望ましい。隣接の熱交換器結合体との間でフィン１ｂが連結等されていると、上記のように屈曲させることが容易でない。
また、各列の熱交換器結合体のフィン１ｂが、他の列のフィン１ｂと独立であって連続でないことは、フィンを伝わって列方向にフィン温度が均一化しないことより、装置の熱交換効率を高くするうえでも有利であり、内気温度を下げるうえで効果的である。
【００２５】
熱交換器１のパイプ１ａの表面に密着させてその全域にフィン１ｂを取り付けていることから、仕切板２によって熱交換器１のまわりの隙間を塞ぐ（密閉構造体Ａを密閉する）ことは、図１（ｂ）の要領で行うことができる。すなわち、各フィン１ｂの周縁にパッキン３ａ・３ｂ、または充填式シール剤（コーキング剤）を密着させるよう使用して、仕切板２との隙間を埋める。図１の例では、熱交換器結合体における各列のフィン１ｂが、仕切板２で塞がれる部分を含む熱交換器１の全域において他の列のフィン１ｂから独立であるため、フィン１ｂの最外周と仕切板２（または仕切板２と一体のケーシング５・６）との間にパッキン３ａを使用し、隣り合う列のフィン１ｂの間に他のパッキン３ｂを使用する等するとよい。
【００２６】
図示の装置では、３列の熱交換器結合体１０ａ・１０ｂ・１０ｃについてそれぞれの長さを適切に定めることにより、各結合体の端部の位置が結合体の厚さ方向（列方向。すなわち空気流の方向）に揃うようにしている。各結合体１０ａ・１０ｂ・１０ｃについて屈曲させる前の長さを等しくした場合には、図示のように厚さ方向（列方向）に端部が揃うことはない。そのため、屈曲させる前の結合体の長さを、結合体ごとに適切に設定しておくのである。
各結合体の端部の位置が図のように揃うと、ファン４・６による空気流が、ケーシング５・７中のどの部分を流れても、同数の列の熱交換器結合体を通過することになる。つまり、ケーシング５・７内の全域において空気抵抗がほぼ均一になり、空気流が特定の部位には偏らなくなる。その結果、装置の熱交換効率が十分に発揮されるわけである。
【００２７】
図２（ａ）・（ｂ）に、発明の他の実施例としての密閉構造体用熱交換装置を示す。前記した図１の装置と概ね同様に構成したものであり、この図では、同じ構成の部分に図１と同一の符号を付している。
【００２８】
図２の装置では、熱交換器結合体１０ａ・１０ｂ・１０ｃの各フィン１ｂのうち、仕切板２によって塞がれる部分にある複数枚（１０枚程度）のフィン１ｃに限っては、隣接する列の熱交換器結合体との間で連続した一体のものを使用している。
そのようにすると、仕切板２との隙間を塞ぐためには、図２（ｂ）のように、フィン１ｃの外周縁と仕切板２等との間にパッキン３ａ（または充填式シール剤）を使用すれば足りる。隣接する列の熱交換器結合体（のフィン１ｂ）同士の間をパッキン等によって塞ぐ必要がないため、熱交換器１のまわりの隙間を塞ぐ（密閉構造体Ａを密閉する）作業がきわめて容易になる。また、３列の熱交換器結合体１０ａ・１０ｂ・１０ｃを、一体として容易にハンドリングできるという利点もある。
【００２９】
図３には、発明のさらに他の実施例である密閉構造体用熱交換装置を示している。図１および図２の装置と概ね同様に構成したもので、同じ構成の部分に同一の符号を付している。
【００３０】
図１・図２の装置では、熱交換器１の中央部に屈曲部１ｘがあり、その屈曲部１ｘにおいて仕切板２との間を塞ぐ必要があった。しかしこの図３の装置では、仕切板２で塞ぐ必要のある熱交換器１の中央部付近を直線部１ｙとし、中央部から上下にやや離れた２箇所に屈曲部１ｘを設けている。このように中央部以外に屈曲部１ｘを設けるようにしても、長尺の熱交換器１をコンパクトにして密閉構造体Ａ内に取り付けやすくできること等は、図１・図２の装置と同じである。
【００３１】
また、図３の装置においても、熱交換器結合体１０ａ・１０ｂ・１０ｃの各フィン１ｂのうち、仕切板２によって塞がれる部分にある複数枚（１０枚程度）のフィン１ｃのみについて、隣接する列の熱交換器結合体との間で連続した一体のものにしている。そうすることによって、仕切板２との隙間を塞ぐこと等について図２の装置と同様の利点がもたらされる。
【符号の説明】
【００３２】
１  ヒートパイプ式熱交換器
１ａ  パイプ
１ｂ・１ｃ  フィン
１ｘ  屈曲部
２  仕切板
３ａ・３ｂ  パッキン
４・６  ファン
５・７  ケーシング
１０ａ・１０ｂ・１０ｃ  熱交換器結合体
Ａ  密閉構造体
Ａａ  上部壁
【図１】
2015215138.tif 000003
【図２】
2015215138.tif 000004
【図３】
2015215138.tif 000005
【図４】
2015215138.tif 000006
【図５】
2015215138.tif 000007
【図６】
2015215138.tif 000008